(57)【要約】【課題】視認性のよい原稿サイズ表示部を有する画像読取装置を提供すること。【解決手段】本発明の画像読取装置は、原稿画像を読み取る画像読取部と、該画像読取部の上部に設けられた原稿を載置する原稿台と、該原稿台の上方に開閉自在に設けられ、原稿を押さえる原稿押さえ部材とを備え、該原稿台上部に複数の原稿サイズを表示する原稿サイズ表示部を備えた画像読取装置において、上記原稿サイズを表示する原稿サイズ表示部を半透明樹脂で形成し、文字部の肉厚が薄く形成されていることを特徴としている。【選択図】図３
2019200384.tif 000002
【特許請求の範囲】
【請求項１】
原稿画像を読み取る画像読取部と、該画像読取部の上部に設けられた原稿を載置する原稿台と、該原稿台の上方に開閉自在に設けられ、原稿を押さえる原稿押さえ部材とを備え、該原稿台上部に複数の原稿サイズを表示する原稿サイズ表示部を備えた画像読取装置において、
絵文字を表示する表示部を半透明樹脂で形成し、文字部の肉厚が薄く形成されていることを特徴とする画像読取装置。
【請求項２】
上記絵文字を表示する表示部の絵文字部は、半透明樹脂が彫り込まれた状態に形成することを特徴とする請求項１に記載の画像読取装置。
【請求項３】
表示部の絵文字が、手前側から奥側に向かって半透明樹脂の厚さが薄くなるように形成されていることを特徴とする請求項１または２のいずれかの項に記載の画像読取装置。
【請求項４】
絵文字部を表示する枠部分の半透明性樹脂を、枠以外の部分よりも薄く形成することを特徴とする請求項１に記載の画像読取装置。
【請求項５】
上記原稿押さえ部材を開放することにより、表示部全体が起立して傾斜することにより、絵文字の反射効率を上げ、原稿押さえ部材を閉じることにより、原稿表示版全体が平坦になり、かつ原稿押さえ部材と原稿サイズ表示部とが連動していることを特徴とする請求項１に記載の画像読取装置。
【請求項６】
上記表示部の下部に発光体を配置し、前項押さえ部材を開放したときに発光体が点灯して発光体近傍に配置された導光体を介して原稿サイズ表示部に光を照射することを特徴とする請求項１乃至５のいずれかの項に記載の画像読取装置。
【請求項７】
表示装置の上部に絵文字等を表示する表示部と、この背面から、光を照射できる照射部を備えた表示装置において、
上記絵文字を表示する表示部を半透明樹脂で形成し、文字部の肉厚が薄く形成されていることを特徴とする表示装置。
【発明の詳細な説明】
【技術分野】
【０００１】
本発明は、視認性のよい原稿サイズ読取部を有する画像読取装置および表示装置に関する。
【背景技術】
【０００２】
画像読取装置は、画像読取部の上に原稿を載置する原稿台、およびこの原稿台の上方に開閉自在に設けられた原稿押さえ部材を備えており、この原稿台上部奥側には原稿サイズを表示する原稿サイズ表示部を備えている。
従来、この原稿サイズ表示部は、原稿のサイズが表示されたシールを貼着することにより設置されている。
しかし、この貼着作業は、大変煩雑な作業であり、作業が困難である。
また、原稿サイズ表示部は原稿台の奥側に設けられているので、手前からは視認しにくいという問題もある。
このような状況下に、特許文献１には、原稿台に貼り付け面を斜めにして表示シールを貼り付けることが開示されている。
しかし、この技術も表示シールを貼着して原稿サイズ表示部を形成しているので、設置作業は依然として煩雑な作業であり、コスト高を招来する虞もある。
また、特許文献２には、レーザー発信装置の容器に一体成形された蓋体に、警告文の視認性を上げるために蓋体の表面を二種類に粗面化する技術が開示されている。
上記のように、使用者の文字などに対する視認性を高めるために、様々な工夫がなされているが、樹脂の色や文字の配置によっては依然として文字等が見にくいという指摘が強い。
【先行技術文献】
【特許文献】
【０００３】
【特許文献１】特開2006-60539号公報
【特許文献２】特開2017-203956号公報
【発明の概要】
【発明が解決しようとする課題】
【０００４】
本発明は視認性のよい読み取り原稿サイズ部を有する画像読取装置および表示装置を提供することを目的としている。
また、本発明は原稿サイズ表示部の敷設が容易な画像形成装置および表示装置を提供することを目的としている。
【課題を解決するための手段】
【０００５】
本発明の画像読取装置は、原稿画像を読み取る画像読取部と、該画像読取部の上部に設けられた原稿を載置する原稿台と、該原稿台の上方に開閉自在に設けられ、原稿を押さえる原稿押さえ部材とを備え、該原稿台上部に複数の原稿サイズを表示する原稿サイズ表示部を備えた画像読取装置において、
絵文字を表示する表示部を半透明樹脂で形成し、文字部の肉厚が薄く形成されていることを特徴としている。
また、上記絵文字を表示する表示部の絵文字部は、半透明樹脂が彫り込まれた状態に形成するとよい。
また、表示部の絵文字が、手前側から奥側に向かって半透明樹脂の厚さが薄くなるように形成されているとよい。
また、絵文字部を表示する枠部分の半透明性樹脂を、枠以外の部分よりも薄く形成するとよい。
上記原稿押さえ部材を開放することにより、表示部全体が起立して傾斜することにより、絵文字の反射効率を上げ、原稿押さえ部材を閉じることにより、原稿表示板全体が平坦になり、かつ原稿押さえ部材と原稿サイズ表示部とが連動しているとよい。
上記表示部の下部に発光体を配置し、前項押さえ部材を開放したときに発光体が点灯して発光体近傍に配置された導光体を介して原稿サイズ表示部に光を照射するようにされているとよい。
また、本発明の表示装置は、表示装置の上部に絵文字等を表示する表示部と、この背面から、光を照射できる照射部を備えた表示装置において、上記絵文字を表示する表示部を半透明樹脂で形成し、絵文字部の肉厚が薄く形成されていることを特徴としている。
【発明の効果】
【０００６】
本発明によれば、原稿サイズ表示部が半透明樹脂で形成されており、この原稿サイズ表示部（絵文字部）の文字等の部分の樹脂が薄く形成されているので、文字のエッヂ部分の光の集光性がよく、絵文字等をはっきり視認することができる。
また、本発明で採用する原稿サイズ表示部は半透明の樹脂で形成された樹脂板であるので、ビス止めなどにより、容易に敷設することができる。
なお、絵文字等には、文字２１、用紙サイズ２７、用紙方向２３、文字部２５アイコンなどが含まれる[図２]。さらに、用紙サイズを示す直線部も含む。
【図面の簡単な説明】
【０００７】
【図１】図１は、本発明における画像読取部の一例を示す斜視図である。
【図２】図２は、原稿サイズ表示部（絵文字部）の一例を示す拡大図である。
【図３】図３は、本発明の原稿サイズ表示部における断面を模式的に示す模式図である。
【図４】図４は、本発明の原稿サイズ表示部（絵文字部）における断面の他の態様を模式的に示す模式図である。
【図５】図５は、本発明の原稿サイズ表示部（絵文字部）における断面の他の態様を模式的に示す模式図である。
【図６】図６は、本発明において、発光体を敷設した態様の例を示す模式図である。
【図７】図７は、本発明において、原稿サイズ表示部が原稿押さえ部材を押し下げることにより平坦になった状態を模式的に示す図である。
【図８】図８は、本発明において、原稿サイズ表示部が原稿押さえ部材を押し上げることにより起立して傾斜した状態を模式的に示す図である。
【発明を実施するための形態】
【０００８】
以下に本発明を実施するための形態（以下、「実施形態」ともいう）について図面を参照しながら説明する。なお、発明の説明において、同一の部材には同一の付番を付してある。
【０００９】
図１に示すように、ここで、表示装置の一例として、画像形成装置を例示して説明するが、表示装置には、画像形成装置や、固定電話、ATM、自販機などの装置のように、上方に表示部を有する全ての装置に適用される。
本発明の画像読取装置１０は、原稿画像を読み取る画像読取部４０と、この画像読取部４０の上部に設けられた原稿を載置する原稿台３０と、この原稿台３０の上方に開閉自在に設けられ、原稿を押さえる原稿押さえ部材（図示なし）とを備えている。
画像読取部４０は、合成樹脂あるいは表面塗装された表面処理鋼板などで形成された枠体であり、この画像読取部４０の中央部は大きく開口しており、開口した画像読取り部には、プラテンガラスがはめ込まれ、原稿台３０を形成している。
原稿押さえ部材は、普段は閉鎖されているが、画像読取部材４０の奥側に開閉自在に固定されており、手前側を引き上げることにより、奥側の原稿押さえ部材のヒンジ部分が回動して原稿台３０および原稿サイズ表示部２０が視認できるように構成されている。
【００１０】
本発明において、原稿サイズ表示部は、付番２０で示されている。
原稿サイズ表示部２０には、図２に示されるように、原稿のサイズを示す文字、イラストなどが表記されている。以下、本発明においては原稿のサイズを示す文字、イラストなどを総称して単に「文字部２５」と記載することもある。
図２において、「文字部２５」に含まれる部材の例として、付番２１で文字が示されており、付番２２で用紙サイズが示されており、付番２３で用紙方向が示されており、こうした文字、記号、用紙方向、イラスト、メジャー、区切り線などが文字部２５に含まれる。
本発明において、この原稿サイズ表示部２０は、半透明樹脂で形成されており、文字部２５の部分の半透明樹脂の厚さを薄くすることにより、文字部２５を浮き上がらせて視認できるように構成している。
具体的には、文字部２５の部分に対応する凹部を半透明樹脂の板に形成することにより、文字部分の樹脂厚を他の部分よりも薄くすることができる。
このように凹部を形成して文字部２５を形成することにより、凹部のエッジ部分で光の反射角度が変わって、凹部の縁部が強調され、文字部２５がくっきりと浮かび上がって視認しやすくなる。
本実施態様では、上記のような原稿サイズ表示部２０は、半透明樹脂板で形成された板状物であり、従来技術で用いられているシール状あるいはテープ状ではないので、自己形態保持性があり、ビスなどの固定手段で画像読取部４０の奥の縁際に固定することができ、備え付けを極めて簡単に行うことができる。しかも画像読取部４０にビス穴を予め設けておくことにより、原稿サイズ表示部２０を一定の位置に確実に設置することができる。
【００１１】
本発明の画像読取装置において、原稿サイズ表示部２０に形成されている文字部２５は、手前側から奥側に向かって半透明の樹脂の厚さが薄くなるように形成されている。例えば、図３に示されるように、文字２５−３、２５−４を手前側から奥側に向かって彫り込みが深くなるように形成することにより、文字部２５の手前側の半透明の樹脂は厚く、奥側にゆくにつれて、半透明の樹脂の厚さが薄くなるように構成することができる。このように構成することにより、視認しにくい奥側の文字部２５の半透明樹脂２６の厚さが薄くなるので、視認しやすくなる。さらに絵文字部等の枠を、枠以外の部分よりも薄くすることにより、より視認性を高くすることができる。
また、図４に示すように、手前側の文字２５−６の彫り込みを薄くして、奥側の文字２５−５の彫り込みを深くすることにより、視認しにくい奥側の文字部２５を視認しやすくすることもできる。
さらに、図５に示すように、予め半透明樹脂を手前側が厚く、奥側が薄くなるように傾斜をつけて敷設しておき、ここに文字２６−１，２５−２の彫り込みを形成することにより、文字部２５の奥側の半透明樹脂２６の厚さが薄く、手前側の半透明樹脂２６の厚さを厚くすることができ、視認しにくい奥側の文字部２５の表面の半透明樹脂２６を薄く形成することもできる。
上記のように文字部２５の奥側の半透明樹脂の厚さを薄くすることにより、文字部２５の視認性が格段に向上する。
【００１２】
なお、上記は奥側の半透明樹脂を薄くする例を示したものであり、これらを組み合わせて奥側の文字部２５の半透明樹脂２６の厚さを薄くしてもよい。
なお、上記説明では、「彫り込み」と記載したが、文字部２５は、彫り込んで形成する必要はなく、熱可塑性樹脂を用いて、例えば凹部に対応する凸部を有する金型を用いて、彫り込みに対応する凹部を形成してもよい。
本発明において、半透明樹脂としては、例えば可視光線の透過率が５〜９５％の樹脂を使用することが好ましい。上記のような半透明樹脂を使用することにより文字部２５のエッヂの部分で光の屈折角度が変化して、エッヂ部分がくっきり視認することができるようになる。このような半透明樹脂としては、それ自体の有する特性として透明性の低い樹脂を使用することもできるし、透明樹脂に充填剤などを配合して透明性を調整して使用することもできる。さらに、文字２５部分の表面粗度を上げることにより、少なくとも文字部２５の表面部分を部分的に半透明にすることもできる。また、半透明な部分は、少なくとも文字部２５が形成された部分であれば充分であるが、全体に半透明にしてもよく、通常は全体が半透明に構成されている。
【００１３】
本発明において、原稿サイズ表示部２０は、画像読取部４０に例えばビスなどで固定されていてもよいが、図６および図７に示すように、原稿押さえ部材（図示なし）を押し下げたときは、原稿サイズ表示部２０の手前側に設けられたヒンジ部２７を介して、図６に示すように、押しつけられて平坦な状態になるが、原稿押さえ部材の手前側を押し上げてこの原稿押さえ部材を開放することにより、図７に示すように、原稿サイズ表示部２０の奥側が押し上げられて全体が傾斜するようにしてもよい。このように原稿サイズ表示部２０の奥側をせり上げて起立させて原稿サイズ表示部を傾斜させることにより、文字２５の反射効率が上がり、文字部２５をはっきりと視認することができるようになる。なお、原稿押さえ部材を閉じることにより、原稿サイズ表示部全体が、原稿押さえ部材によって下方に押し込まれて平坦な状態になる。
この原稿サイズ表示部２０は、例えばバネなどの弾性部材を予め配置して上方に付勢された状態に保持されており、原稿押さえ部材と原稿表示板とが連動して動作することが好ましい。
【００１４】
本発明の画像読取装置には、図８に示されるように、半透明樹脂２６の下部に発光体５０を有していることが好ましい。この発光体５０に特に制限はないが、例えばLEDライトなどを使用することができる。
この発光体５０は、原稿押さえ部材の解放とともに点灯し、閉鎖とともに消灯するように構成されている。
このように発光体５０からの光は、導光体２８を介して、半透明樹脂２６を通って、半透明樹脂２６に形成された文字部２５に到達し、空隙である文字部２５のエッヂ部分で屈折角度が変わって、エッヂ部分を浮き上がらせて見せて、視認性を向上させることができる。なお、ここで導光体２８としては、光拡散性を有する樹脂など、画像読取装置などで広く使われている導光体を適宜選択して用いることができる。
【００１５】
上記のような構成を有する本発明の画像読取装置は、文字部２５のエッヂの部分で光の屈折角度が変わるので、エッヂ部分が強調されて視認することができ、原稿サイズ表示部に設けられた文字、イラスト、サイズ、区切りなどの表示手段をはっきりと視認することができる。
しかも、この原稿サイズ表示部は、樹脂からなる板状物であり、敷設を非常に容易に行うことができる。従って、敷設に伴うコストの上昇もない。
なお、本発明の画像読取装置は、上記のような構成を有するが、本発明の趣旨に反しない限り、本発明は種々改変することができる。
【符号の説明】
【００１６】
１０・・・画像読取装置
２０・・・原稿サイズ表示部
２１・・・文字
２２・・・用紙サイズ
２３・・・用紙方向
２５・・・文字部
２５−１・・・文字
２５−２・・・文字
２５−３・・・文字
２５−４・・・文字
２５−５・・・文字
２５−６・・・文字
２６・・・半透明樹脂
２７・・・ヒンジ部
２８・・・導光体
３０・・・原稿台
４０・・・画像読取部
５０・・・発光体
【図１】
2019200384.tif 000003
【図２】
2019200384.tif 000004
【図３】
2019200384.tif 000005
【図４】
2019200384.tif 000006
【図５】
2019200384.tif 000007
【図６】
2019200384.tif 000008
【図７】
2019200384.tif 000009
【図８】
2019200384.tif 000010